(57)【要約】【課題】  搬送部の排出口から作物を排出し損なって搬送部の下側に巻き込ませることなく、引き抜き収穫した作物を確実にコンテナ等の収容部材に投入できる野菜収穫機を提供する。【解決手段】  機体の左右一側に圃場に植生する根菜類の茎葉部を挟持して後側斜め上方に搬送して引き抜き収穫する収穫部４を設け、機体の左右他側に収穫物を収容する容器Ｃを載置する収穫物載置部７を設けると共に、該収穫部４から作物を受けて搬送する搬送部６を設けた野菜収穫機において、作物を該収穫物載置部７に案内する、複数の隙間を設けた櫛形状の排出シュータ３８ｅを該搬送部６の排出口に取り付けて構成する。【選択図】      図１１
2008000142.tif 000002
【特許請求の範囲】
【請求項１】
機体の左右一側に圃場に植生する根菜類の茎葉部を挟持して後側斜め上方に搬送して引き抜き収穫する収穫部（４）を設け、機体の左右他側に収穫物を収容する収穫物載置部（７）を設けると共に、該収穫部（４）から作物を受けて収穫物載置部（７）へ搬送する搬送部（６）を設けた野菜収穫機において、
作物を該収穫物載置部（７）に案内する複数の隙間を設けた櫛形状の排出シュータ（３８ｅ）を該搬送部（６）の排出口に設けたことを特徴とする野菜収穫機。
【請求項２】
前記収穫物載置部（７）を機体内側に移動させて収納可能に構成したことを特徴とする請求項１記載の野菜収穫機。
【請求項３】
前記収穫部（４）で搬送中の作物の下端部を支持する複数の支持体（４３）を作物の根毛が通過可能な隙間（４８）を形成するよう所定間隔を開けて設けると共に、該支持体（４３）の間の隙間（４８）を通過する根毛を除去する回転体（４４）を設けて構成する根毛除去装置（１０）を収穫部（４）の下方に設けたことを特徴とする請求項1又は２記載の野菜収穫機。
【請求項４】
前記複数の支持体（４３）の左右外側端よりも外側に、作物を支持体（４３）の内側に案内する案内体（４７）を設けたことを特徴とする請求項３記載の野菜収穫機。
【発明の詳細な説明】
【技術分野】
【０００１】
本発明は、野菜収穫機に関するものである。
【背景技術】
【０００２】
従来、下記特許文献１に記載されているように、機体の左右一側に圃場から作物を収穫し後方に搬送する収穫搬送装置を備え、機体の左右他側に作物を収納する収容部材を載置する収穫物載置部を備えると共に、収穫搬送装置から作物を引き継いで搬送する搬送装置を備える構成の野菜収穫機が存在する。
【特許文献１】特開２００５−１９２４２６号公報
【発明の開示】
【発明が解決しようとする課題】
【０００３】
しかしながら、前記特許文献１に記載の野菜収穫機は、搬送装置の排出口に作物を収穫物載置部に案内するシュータを設けていないため、搬送装置から排出され損なった作物が搬送装置の下側に巻き込まれて傷付いてしまうという問題点がある。
【課題を解決するための手段】
【０００４】
本発明は、上記課題を解決するために、以下のような技術的手段を講じた。
請求項１記載の発明は、機体の左右一側に圃場に植生する根菜類の茎葉部を挟持して後側斜め上方に搬送して引き抜き収穫する収穫部（４）を設け、機体の左右他側に収穫物を収容する容器（Ｃ）を載置する収穫物載置部（７）を設けると共に、該収穫部（４）から作物を受けて搬送する搬送部（６）を設けた野菜収穫機において、作物を該収穫物載置部（７）に案内する、複数の隙間を設けた櫛形状の排出シュータ（３８ｅ）を該搬送部（６）の排出口に取り付けたことを特徴とする野菜収穫機とした。
【０００５】
上記構成とした請求項１記載の野菜収穫機は、収穫部（４）が引き抜き収穫した作物を搬送部（６）で受けて、この作物を搬送部（６）から収穫物載置部（７）に排出する際、搬送部（６）の排出口に設けた櫛形状の排出シュータ（３８ｅ）を介して収穫物載置部（７）に載置した容器（Ｃ）に作物を緩やか且つ確実に排出することができる。
【０００６】
また、排出シュータ（３８ｅ）を、複数の隙間を設けて櫛形状としたことによって、作物に付着している、或いは作物と共に搬送されてくる泥土や残葉等をこの隙間から落下させることができる。
【０００７】
請求項２記載の発明は、前記収穫物載置部（７）を機体内側に移動させて収納可能に構成したことを特徴とする請求項１記載の野菜収穫機とした。
請求項２記載の野菜収穫機は、収穫物載置部（７）を機体内側に移動させて収納できる構成としたことによって、機体の輸送時や非作業時には機体幅をコンパクトにすることができる。
【０００８】
請求項３記載の発明は、前記収穫部（４）で搬送中の作物の下端部を支持する複数の支持体（４３）を作物の根毛が通過可能な隙間（４８）を形成するよう所定間隔を開けて設けると共に、該支持体（４３）の間の隙間（４８）を通過する根毛を除去する回転体（４４）を設けて構成する根毛除去装置（１０）を収穫部（４）の下方に設けたことを特徴とする請求項1又は２記載の野菜収穫機とした。
【０００９】
上記構成とした請求項３記載の野菜収穫機は、収穫部（４）で搬送される作物の下端部を支持する支持体（４３）を根毛が通過可能な隙間（４８）を形成するよう所定間隔を開けて設けると共に、根毛を除去する回転体（４４）を設けて構成する根毛除去装置（１０）を収穫部（４）の下方に設けたことによって、支持体（４３）の間に作物に付着していた泥土が詰まることが防止できると共に、作物の下端部が曲がっていても根毛を支持体（４３）の間の隙間を通過させて回転体（４４）で切断することができる。
【００１０】
請求項４記載の発明は、前記複数の支持体（４３）の左右外側端よりも外側に、作物を支持体（４３）の内側に案内する案内体（４７）を設けたことを特徴とする請求項３記載の野菜収穫機とした。
【００１１】
上記構成とした請求項４記載の野菜収穫機は、複数の支持体（４３）の左右外側端よりも外側に案内体（４７）を設けたことによって、作物の根毛が支持体（４３）の間の隙間（４８）から逃げて、根毛が切断されないまま搬送されるのを防止することができる。
【発明の効果】
【００１２】
請求項１記載の発明は、搬送部（６）から排出される作物を排出シュータ（３８ｅ）を介して排出することによって、作物を収穫物載置部（７）上に載置する容器（Ｃ）に緩やか且つ確実に排出することができるので、作物が搬送部（６）から排出され損なって搬送部（６）の下側に巻き込まれて傷付くことや落下の衝撃で傷付くことが防止され、作物の品質が向上する。
【００１３】
また、排出シュータ（３８ｅ）に複数の隙間を設けて櫛形状としたことによって、作物に付着している、或いは作物と共に搬送されてくる泥土や残葉等をこの隙間から落下させることができるので、容器（Ｃ）には作物だけが収容されるようになり、泥土や残葉を除去する作業が省略され、作業者の労力が軽減される。
【００１４】
請求項２記載の発明は、請求項１記載の発明の効果に加えて、収穫物載置部（７）を機体内側に移動させて収納できる構成としたことによって、機体の輸送時や非作業時には機体幅をコンパクトにすることができるので、作業者は容易且つ安全に機体を軽トラック等に載せて輸送することができる。
【００１５】
請求項３記載の発明は、請求項１又は2記載の発明の効果に加えて、作物の下端部を支持する支持体（４３）を根毛が通過可能な隙間（４８）を形成するよう所定間隔を開けて設けたことによって、支持体（４３）の間に作物に付着していた泥土が詰まることを防止できるので、根毛が確実に回転体（４４）で切除され、作業者が収穫作業後に根毛を除去する作業が省略されるので作業者の労力が軽減される。
【００１６】
また、支持体（４３）の間に隙間（４８）が複数あることによって、根毛除去作用位置が広くなるので、作物の下端部側が曲がっていても隙間（４８）に入り込ませることができ、根毛が確実に回転体（４４）で切除され、作業者が収穫作業後に根毛を除去する作業が省略されるので作業者の労力が軽減される。
【００１７】
請求項４記載の発明は、請求項３記載の発明の効果に加えて、支持体（４３）の左右外側端よりも外側に案内体（４７）を設けたことによって、作物の根毛が支持体（４３）の間の隙間（４８）から逃げて、根毛が切断されないまま搬送されるのを防止することができるので、根毛が確実に回転体（４４）で切除され、作業者が収穫作業後に根毛を除去する作業が省略されるので作業者の労力が軽減される。
【発明を実施するための最良の形態】
【００１８】
本発明を実施するための最良の形態の一つとして、人参等の根菜類を圃場から収穫する収穫機がある。以下に、本発明を実施した野菜収穫機について詳細に説明する。なお、本明細書では野菜収穫機の前進方向に向かって左右方向をそれぞれ左側、右側という。
【００１９】
図面に示した野菜収穫機１は、機体を自走させる走行装置２と、搭乗した操縦者によって操作される操作具を配置した操縦部３と、圃場に植生する根菜類の茎葉部を挟持して後側斜め上方に搬送して引抜き収穫する収穫部４と、収穫物を収容する容器Ｃを設置可能とする収容部５と、前記収穫部４から収穫物を受け取って前記収容部５に搬送する搬送部６と、収穫物を収容した容器Ｃを複数体載置可能とする収穫物載置部７とを設けた構成としている。また、前記走行装置２は駆動回転する左右一対のクローラ８Ｌ，８Ｒを備え、前記収穫部４は機体の左右一方側に配置し、前記収穫物載置部７は機体の左右他方側に配置し、且つ該収穫物載置部７を配置した側のクローラ８Ｒの左右外端部より収穫物載置部７の左右外端部が左右方向外側に位置する状態に配置している。そして、前記収穫物載置部７を配置した側のクローラ８Ｒの接地部を左右反対側のクローラ８Ｌの接地部より下方に位置する状態に下動可能に設けている。
【００２０】
野菜収穫機１を作業走行させて畝の上面に成育している根菜類を収穫するとき、収穫部４を配置した側のクローラ８Ｌは畝の上面を走行し、収穫物載置部７を配置した側のクローラ８Ｒは畝間の溝を走行して、収穫物載置部７を配置した側が低くなるように機体が左右に傾斜する状態となる場合がある。このとき、収穫物載置部７を配置した側のクローラ８Ｒが走行する溝が深いと、そのクローラ８Ｒの左右外端部より左右方向外側に位置する収穫物載置部７の左右外端部が隣接する畝上面に接地してしまうことがある。
【００２１】
しかしながら、この野菜収穫機１は、収穫物載置部７を配置した側のクローラ８Ｒの接地部を左右反対側のクローラ８Ｌの接地部より下方に位置する状態に下動させることで、収穫物載置部７の左右外端部を上昇させて隣接する畝上面への接地を回避することが可能となる。従って、収穫物載置部７の左右外端部が地面に接地することによって機体の進行方向が左右にずれて収穫部４が根菜類の茎葉部を確実に挟持し難くなるのを回避できて、適確な収穫作業が行なえるようになる。
【００２２】
また、収穫作業開始時において収穫作業する畝に隣接する畝の根菜類が未だ収穫されていない状態で収穫作業を行なう場合があるが、このような場合、上記のように機体が左右に傾いて収穫物載置部７の左右外端部が隣接する畝の根菜類の茎葉部を引っかけたり押し倒したりして、その畝の根菜類の収穫作業を適確に行い難くすることがある。
【００２３】
しかし、この野菜収穫機１は、収穫物載置部７を配置した側のクローラ８Ｒの接地部を左右反対側のクローラ８Ｌの接地部より下方に位置する状態に下動させることで、収穫物載置部７の左右外端部を上昇させて隣接する畝の根菜類の茎葉部を引っかけたり押し倒したりしないようにできる。
【００２４】
また、この野菜収穫機１は、収穫部４に根菜類の茎葉部を挟持して搬送する挟持搬送ベルト９Ｌ，９Ｒを左右に設け、該挟持搬送ベルト９Ｌ，９Ｒによって茎葉部が挟持されて根菜類の根部が吊下げ状態で搬送される途中で根部下端の根毛に作用して根毛を根部から除去する根毛除去装置１０を設けている。
【００２５】
野菜収穫機１が前述したように左右に傾斜すると、挟持搬送ベルト９Ｌ，９Ｒによって吊下げ状態で搬送される根菜類は、根部が機体に対して左右に移動することになる。このため、根菜類の根部下端が根毛除去装置１０の除去作用部に対して左右にずれてしまい、根毛除去が適確に行えなくなる場合がある。
【００２６】
しかしながら、この野菜収穫機１は、収穫物載置部７を配置した側のクローラ８Ｒの接地部を左右反対側のクローラ８Ｌの接地部より下方に位置する状態に下動させることで機体の左右の傾きを小さく或は水平に修正できて、根毛除去が適確に行えるようになる。
【００２７】
畝間の溝は２５ｃｍ程度の深さになると、上記のような課題が顕著になる。従って、収穫物載置部７を配置した側のクローラ８Ｒの接地部が左右反対側のクローラ８Ｌの接地部と同高さの位置から下方に下動させる構成にあって、そのクローラ８Ｒの接地部の下動量を少なくとも１０ｃｍ以上に設定すると、上記のような効果を充分に得ることができ、また、当該下動量を２５ｃｍ以上に設定すれば、機体を左右水平状態まで修正可能となって上記のような効果を顕著に奏するものとなる。
【００２８】
また、収穫部４を機体の左右一方側に配置し、収穫物載置部７を機体の左右他方側に配置し且つ該収穫物載置部７を配置した側のクローラ８Ｒの左右外端部より収穫物載置部７の左右外端部が左右方向外側に位置する状態に配置し、クローラを下動させる機構を収穫物載置部７を配置した側のクローラ８Ｒにのみ設ける構成とすると、構成の簡略化が図れ、機体の軽量化やコストダウンが図れる。
【００２９】
なお、クローラ８を下動させる機構を操縦者による人為的操作に基づいて作動するように構成しても良いし、機体の左右の傾斜を検出する傾斜検出手段を設けて該傾斜検出手段の検出値に応じて自動的にクローラ８を下動させて機体の左右傾斜を小さく或は水平状態に変更する制御手段を設けても良い。
【００３０】
ところで、畝に沿って収穫作業走行しているときは、上記のように機体が左右に傾斜する状態となる場合があるが、畝端に至って収穫作業を停止し、畝が形成されていない場所で機体を旋回させるときには、走行路が平坦な地面に移行することになる。そこで、操縦者による人為的操作に基づいてクローラ８を下動させる機構を設けた野菜収穫機１において、機体旋回時の諸作動或は諸操作に連動して、収穫物載置部７を配置した側のクローラ８Ｒの接地部を左右反対側のクローラ８Ｌの接地部と同高さに自動的に復帰させる復帰作動手段を設ける。そうすると、上記のように畝端に到って機体を旋回させるときで機体が平坦な地面に移行した場合に、収穫物載置部７を配置した側のクローラ８Ｒの接地部が下降したままで機体が傾いてしまうのを適確に回避でき、機体の旋回が良好に行え、また、機体が傾いたままで旋回して左右のクローラ８がそれぞれ左右一方側に偏って設置してクローラ８が転輪から外れてしまうことも回避できる。
【００３１】
また、操縦者による人為的操作に基づいてクローラ８を下動させる機構を設けた野菜収穫機１において、機体旋回時の諸作動或は諸操作が行われたことを検知して操縦者に報知する報知手段を設けた構成とし、操縦者がその報知手段による報知に対応して収穫物載置部７を配置した側のクローラ８Ｒの接地部を左右反対側のクローラ８Ｌの接地部と同高さに人為的に復帰させる動作を行わせる操作を行うようにしても良い。このようにすると、上記復帰作動手段を設けるよりも安価で構成できて、且つ、機体が傾いたままで旋回するようなことも回避することができる。
【００３２】
更にまた、操縦者による人為的操作に基づいてクローラ８を下動させる機構を設けた野菜収穫機１において、収穫物載置部７を配置した側のクローラ８Ｒの接地部が設定量以上下降していることを検出すると、また、左右反対側のクローラ８Ｌの接地部と同高さになっていない状態を検知すると、或は、機体に設けた左右傾斜検出手段によって機体が設定角度以上に収穫部４を配置した側が低く傾斜していることを検出すると、機体旋回時の諸作動或は諸操作を規制する規制手段を設ける構成とし、必ず、収穫物載置部７を配置した側のクローラ８Ｒの接地部が左右反対側のクローラ８Ｌの接地部と同高さに復帰操作が行われた後に機体の旋回が行われるようにすることもできる。このようにすると、上記復帰作動手段を設けるよりも安価で構成でき、また、上記報知手段を設けた構成よりも確実に機体が傾いたままで旋回するようなことを回避することができる。
【００３３】
なお、機体旋回時の諸作動或は諸操作には、具体的には、収穫部４の作動停止或は作動停止操作、収穫部４の非作業位置への上昇作動或は上昇作動操作、左右一方側のクローラへの伝動遮断或は電動遮断操作、左右一方側のクローラの回転の制動及び制動操作等があり、これらのうちの一つ或は複数の諸作動或は諸操作に上記復帰作動手段や上記報知手段を作動させる。上記復帰作動手段の連動機構は、電気的に構成しても機械的に構成しても良い。また、左右一方側のクローラへの伝動遮断或は電動遮断操作、或は、左右一方側のクローラの回転の制動及び制動操作は、機体旋回時だけでなく、作業走行中に行う進路修正の時にも作動或は操作される。従って、進路修正時に行うような設定時間以内の短い間での作動或は操作であるときには、上記復帰作動手段や上記報知手段は作動しないように設定すると一層操作性が向上する。上記報知手段の具体例としては、ブザー等の音声を出したりランプを点灯させたりして報知する構成がある。
【００３４】
また、収穫物が機体上に満載状態となったとき積載した収穫物をトラック等に搬出するために圃場外に出て機体を移動させる場合にも、走行路が平坦な地面に移行することになる。そこで、操縦者による人為的操作に基づいてクローラ８を下動させる機構を設けた野菜収穫機１において、機体の走行速度を作業走行速度から移動走行速度に変速或は変速操作するのに連動して収穫物載置部７を配置した側のクローラ８Ｒの接地部を左右反対側のクローラ８Ｌの接地部と同高さに自動的に復帰させる復帰作動手段を設ける。そうすると、上記のように積載した収穫物をトラック等に搬出するために平坦な地面を移動するときに、機体が傾いたままで移動することがなくなり、機体の操縦が良好に行える。
【００３５】
更に、操縦者による人為的操作に基づいてクローラ８を下動させる機構を設けた野菜収穫機１において、収穫物載置部７を機体内側に移動させて収納可能に設け、収穫物載置部７の機体内側への移動に連動して収穫物載置部７を配置した側のクローラ８Ｒの接地部を左右反対側のクローラ８Ｌの接地部と同高さに自動的に復帰させる復帰作動手段を設けると、機体が左右に傾いた状態でトラックへの積降しを行うような事態を回避でき、安全性が向上する。
【００３６】
野菜収穫機１は、圃場に成育する根菜類の周囲の土を掘起す掘起し体１１を収穫部４に設けて、収穫作業走行時に該掘起し体１１を土中を進行させて根菜類の抜取りが容易に行えるようにしている。そして、野菜収穫機１は、収穫作業走行時に、収穫部４を配置した側のクローラ８Ｌが畝の上面を走行し、収穫物載置部７を配置した側のクローラ８Ｒが畝間の溝を走行して、機体が左右に傾斜する状態となる場合、掘起し体１１を設けた収穫部４を配置した側のクローラ８Ｌの接地部は上下動不能に構成し、収穫部４を配置した側とは左右反対側のクローラ８Ｒの接地部は上下動可能に構成して、機体の左右傾斜を小さく或は水平状態に修正するように設けている。
【００３７】
掘起し体を設けた収穫部を配置した側のクローラ８の接地部を上下動すると、その上下動時に掘起し体が上下変動しやすくなり、掘起し深さの変動が大きくなるが、上記のように掘起し体１１を設けた収穫部４を配置した側とは左右反対側のクローラ８Ｒの接地部のみを上下動可能に構成しているので、機体の左右傾斜の修正作動時に掘起し体１１の上下変動が生じにくくなり、根菜類の圃場からの抜取り作業が適確に行えるようになる。
【００３８】
なお、掘起し体１１或は掘起し体１１を設けた収穫部４に左右傾斜を検出する傾斜検出手段を設け、該傾斜検出手段の検出結果に基づいて掘起し体１１或は掘起し体１１を設けた収穫部４を左右水平状態になるように収穫部４を機体側に対して左右角度変更する手段を設けると、掘起し体１１の左右方向の姿勢が安定し、機体の左右傾斜によって掘起し体１１が左右に傾くことによって掘起し体１１が土中の根菜類に接触して傷つけるようなことを生じにくくできる。
【００３９】
以下に、野菜収穫機１の各部の具体的な構成を説明する。
図３に左側側面図を示す走行装置２は、駆動回転する左右一対のクローラ８Ｌ，８Ｒにより構成している。このクローラ８Ｌ，８Ｒの駆動機構は、まず、操縦部３の操縦座席１２の下側に配置したエンジンの動力が、機体前部の低位置に設けたミッション１３に伝動し、該ミッション１３から左右両側に延出させた走行駆動軸が駆動回転し、この走行駆動軸の左右両外端部に取り付けた駆動スプロケット１４，１４が駆動回転して左右のクローラ８Ｌ，８Ｒが駆動される構成となっている。クローラ８Ｌ，８Ｒは、駆動スプロケット１４，１４と機体後部側の転動輪１５，１５、そして、その転動輪１５，１５と駆動スプロケット１４，１４との間に取り付けた転輪１６，１６，１６；１６，１６，１６の周りに巻き掛けて取り付けている。
【００４０】
収穫部４を配置している左側のクローラ８Ｌについては、その転動輪１５と転輪１６，１６，１６が、機体（機体フレーム１７）に設けた前側支持フレーム１８Ｌと後側支持フレーム１９Ｌとに固着された左側転輪支持フレーム２０Ｌに回転自在に取付けられている。従って、収穫部４を配置している側（左側）のクローラ８Ｌの下面である接地部は機体に対して上下動操作不能となっている。
【００４１】
収穫物載置部７を配置した側（右側）のクローラ８Ｒについては、図４の走行装置２に右側側面図に示すように以下のように構成されている。
まず、機体（機体フレーム１７）に設けた前側支持フレーム１８Ｒと後側支持フレーム１９Ｒとにそれぞれ軸心が左右方向に向いたスイング軸２１，２１を設け、該前後のスイング軸２１，２１に上方と後方に向けて伸びるスイングアーム２２，２２を回動自在に取付け、該スイングアーム２２，２２の上方に伸びるアーム部の先端部を連結ロッド２３の前後端部に横軸回り回転自在に連結し、スイングアーム２２，２２の後方に伸びるアーム部の先端部を右側転輪支持フレーム２０Ｒに横軸回り（左右方向の軸回り）回転自在に取り付けている。そして、右側転輪支持フレーム２０Ｒに転動輪１５と転輪１６，１６，１６を回転自在に取付けている。
【００４２】
また、後側のスイングアーム２２の上方に伸びるアーム部の先端部には、更に、シリンダ基部を機体（機体フレーム１７）の後部側に横軸回り回動自在に取付けた油圧シリンダ２４のピストンロッド先端部を連結している。従って、油圧シリンダ２４が作動して、そのピストンロッドが機体前後方向に移動すると、前後のスイングアーム２２，２２がスイング軸２１，２１回りに回動して右側転輪支持フレーム２０Ｒが上下動するとともに転動輪１５と転輪１６，１６，１６が上下動して、収穫物載置部７を配置した側（右側）のクローラ８Ｒの下面である接地部は機体に対して上下動操作可能となっている。
【００４３】
なお、後側支持フレーム１９Ｒのスイング軸２１には、クローラ８Ｒの上側の内側面に転動可能に接する転輪２５を回転自在に設けている。
クローラ８Ｌ，８Ｒの内側面の左右中央側に転動輪１５の外周部が左右にずれないよう転動輪１５の外周部の左右両側部を挟むように突出する左右の突起２６，２６・・・が形成されている。また、この左右の突起２６，２６・・・の間に入り込んでクローラを案内する棒状のガイド部材２７，２７；２７，２７がクローラ８の下側の内面側に接するように転輪支持フレーム２０Ｌ，２０Ｒに取付けている。このガイド部材２７，２７の転動輪１５，１５に近接する後端部の上側は、後下がり傾斜面を形成して転動輪１５，１５とクローラ８の間にできるだけ入り込むように設けていて、ガイド部材２７，２７の下面側ガイド作用部ができるだけ長く形成されるようにし、クローラの外れ防止効果を向上させている。なお、クローラの外周面には、横方向に伸びるラグ２８・・・をクローラ回転方向に一定間隔ごとに形成している。
【００４４】
収穫部４は、根菜類の茎葉部を挟持して搬送する搬送作用部として左右挟持搬送ベルト９Ｌ，９Ｒを備える。この左右挟持搬送ベルト９Ｌ，９Ｒは、機体前部側の左右に軸架した左右遊動プーリ４０，４０と、機体後部側の左右に設けた左右駆動プーリ４１，４１と、両プーリ４０，４１の前後間に適宜設けたローラ４２とに巻き掛け、且つ、当該左右挟持搬送ベルト９Ｌ，９Ｒの互いに左右対向する周側面が互いに圧接する状態で回転するように構成している。左右駆動プーリ４１，４１がエンジンからの動力を受けて駆動回転すると左右挟持搬送ベルト９Ｌ，９Ｒが互いに圧接するベルト面が後方に移動するよう互い反対方向に回転して、左右のベルト９Ｌ，９Ｒの互いに圧接するベルト面の間に、根菜類の茎葉部の基部（根部の肩に近い部分）を挟持して吊り下げ状態で搬送するものとなる。この収穫部４の後部は機体後部側に設けた左右横軸２９回りに回動自在に取り付け、そして、油圧シリンダ３０によって左右挟持搬送ベルト９Ｌ，９Ｒの前部を上下動できる構成としている。従って、左右挟持搬送ベルト９Ｌ，９Ｒの搬送作用部の搬送始端部を地面の高さ変動、搬送作用部が保持しようとする根菜類の茎葉部の状態に合わせて、容易に上下調節できる。
【００４５】
図５の平面図に示すように、挟持搬送ベルト９Ｌ，９Ｒから位置揃えベルト３３及び排葉ベルト３２に引き継ぐ部位には挟持搬送ベルト９Ｌ，９Ｒの挟持力の調節するためのテンションローラ５１、５２を互にベルト挟持する方向にテンションが掛かるように設けてある。
【００４６】
左挟持搬送ベルト９Ｌの側のテンションローラ５１は機体に支持された基板５３に中央部が回動自在に支持されたアーム５４の一方の端部に回動自在に設けられ、該アーム５４の他端部は機体に一端が支持されたスプリング５６に支持されている。テンションローラ５１は該スプリング５６により常時、ベルト９Ｌ側に付勢されている。また、前記アーム５４はそれぞれの辺の長さが異なる不定形の多角柱形状を有する閉じ止めストッパ５７（本実施例では５角柱）の辺に当接した状態でベルト９Ｒへの押圧力を発揮できるようになっている。該閉じ止めストッパ５７の５角柱は偏心した回転軸５７ａを有しており、各辺に前記アーム５４が接触することで、ワンタッチで閉じ止めストッパ５７のアーム５４への当接面を変えることでテンションローラ５１のベルト９Ｌへの押圧力を変更し、ベルト９Ｌの張力を調節する。
【００４７】
また、右挟持搬送ベルト９Ｒの側のテンションローラ５２は機体に支持された基板５９に一方の端部を支持されたアーム６０の他端部に回動自在に支持されている。前記アーム６０は、前記左挟持搬送ベルト９Ｌの側の閉じ止めストッパと同じ偏心した回転軸６１ａを有する５角柱形状の閉じ止めストッパ６１の辺に当接した状態でベルト９Ｒへの押圧力を発揮できるようになっている。該５角柱は偏心した回転軸６１ａを有しており、各辺に前記アーム６０が接触することで、ワンタッチで閉じ止めストッパ６１のアーム６０への当接面を変えることでテンションローラ５２のベルト９Ｒへの押圧力を変更し、ベルト９Ｒの張力を調節する。
【００４８】
なお、工具を用いないでもワンタッチで両方の閉じ止めストッパ５７，６１のアーム５４，６０への当接面を変更できる。
このように閉じ止めストッパ５７，６１とスプリング５６によりアーム５４，６０が挟持搬送ベルト９Ｌ，９Ｒの挟持力の調節する方向にテンションローラ５１，５２を作動させることで、根菜類の茎の太さ、枯れ具合により挟持力を調整でき、従って根菜類の肩揃え精度を安定させることができる。
【００４９】
また、図６の平面図に別の実施例のベルト挟持力調節装置を示す。
挟持搬送ベルト９Ｌ，９Ｒから位置揃えベルト３３及びタッピングベルト３２に引き継ぐ部位において、挟持搬送ベルト９Ｌ，９Ｒの内の左挟持搬送ベルト９Ｌは図５に示す構成とほぼ同一とし、挟持力調節方法として一方のベルト９Ｒにはプレート６４にベルト９Ｒに当接するローラ６５を複数個取付け、このプレート６４の全体を一体的に移動調節可能とし、他方のベルト９１に当接するローラ６５を基板６６に支持されたワンタッチ調節可能な閉じ止めストッパ６８付きでスプリング６９によりベルト９Ｌへの付勢力の調節を可能とするアーム７０を設け、これらローラ６５、基板６６、閉じ止めストッパ６８、スプリング６９及びアーム７０をユニット化して取り付け、取り外し自在のユニット構成として、組み立てとメンテナンスが容易の行えるようにした。
【００５０】
上記構成でも根菜類の茎の太さ、枯れ具合により挟持力を調整できることにより、肩揃え精度を安定させることができる。
次に本実施例の根毛（ひげ根）を根部から除去する根毛除去装置１０について説明する。根毛除去装置１０の側面図を図７（ａ）に示し、断面図を図７（ｂ）（図７（ａ）のＳ−Ｓ線断面図）に示すが、根毛除去装置１０は左右搬送ベルト９Ｌ，９Ｒの傾斜面に対向する位置に円弧状の支持体４３を複数本等間隔に並列配置される。複数本の支持体４３は丸棒体からなり、機体の前後方向に向けてその両端が機体の左右方向に伸びる支持部材（図示せず）に固定されている。
【００５１】
従って並列配置された複数の支持体４３の相互の間には根菜類の根部を案内する隙間４８が形成される。そして、左右両端に配置した支持体４３の左右外側の上方に、左右挟持ベルト９Ｌ、９Ｒで搬送される根菜類を左右両端の支持体４３の左右方向幅内に案内する案内体４７を配置している。本実施例では左右の外側プレート４５の上部にそれぞれ取り付けており、根菜類を案内しやすいよう前開きに構成している。
【００５２】
なお、図７（ａ）の前記複数本の支持体４３が形成する円弧の内側に位置して該円弧の仮想中心軸上に回転軸４４ａを有する回転体４４を配置する。回転体４４はその回転軸４４ａを中心にモータ４６により回転する部材であり、前記回転軸４４ａは外側プレート４５に支持されている。図示の例では略Ｓ字状に折れ曲がった形状であるが、コ字状のものでも良く、支持体４３の内側に沿って回転する根毛切除部４９が支持体４３の隙間４８を通り抜ける根毛を切除するよう構成している。
【００５３】
上記根毛除去装置１０の構成により、隣接する支持体４３間への土などの詰まりによる根毛除去不良の発生を減少できる。また支持体４３の間の隙間４８が左右方向に複数箇所形成されることで根毛除去作用域の左右幅が広くなり、挟持搬送ベルト９Ｌ，９Ｒで搬送中の根菜類の搬送姿勢が多少横向きに傾いていても、また曲がった根菜類でも根毛が支持体４３の間の隙間４８に入り込み易くなり、従来より適正な根毛除去が行える。さらに順次搬送されてくる作物にあって、先行して搬送される作物が長い場合でも、次に搬送されてくる根菜類の下端部が左右にずれて根毛が先行する根菜類の根毛が入り込む隙間４８とは別の支持体４３の間の隙間４８に入り込むことができるので、従来よりも根毛除去が適正に行える。
【００５４】
また、案内体４７により左右挟持ベルト９Ｌ、９Ｒで搬送される根菜類を左右両端の支持体４３の左右方向幅内に案内することができ、より確実に根菜類の根毛を切除することができる。
【００５５】
また、支持体４３は丸棒で構成されるので、支持体４３の間に形成される隙間を作物の搬送方向に沿って複数箇所にわたり的確に形成でき、また支持体４３の間の隙間４８に土などが入り込んでも抜けやすく、隙間の詰まりが生じ難くなり、一層適正に根毛除去が行える。
【００５６】
さらに、回転体４４を機体正面視で略Ｓ字状に構成することで、根毛除去作用可能な左右両端の支持体４３の左右方向幅内にわたって根毛を切除できる構成でありながら根毛切除部４９一つの長さを短くすることができるので強度が大きく、かつ、曲がり難くなり、より耐久性が向上する。
【００５７】
また、収穫部４には、根菜類の茎葉部を切断して根部から取り除くために切断する切断装置３１も設けている。左右挟持搬送ベルト９Ｌ，９Ｒで根菜類を搬送する途中で根菜類の茎葉部を引継いで挟持して機体後方水平状に搬送する排葉ベルト３２，３２を、左右挟持搬送ベルト９Ｌ，９Ｒの終端部分の下方に略水平姿勢で左右一対に設けている。また、この排葉ベルト３２，３２に茎葉部を引継ぎ搬送するときに、根菜類の根部の上端部に係合して根菜類の上昇を規制し、根菜類の高さを切断装置３１に対して設定高さに揃えるための位置揃えベルト３３，３３を設けている。この位置揃えベルト３３，３３の後端部後方に、切断装置３１の左右一対の円板状の切断刃を配置し、搬送されてきた根菜類の茎葉部の基部を切断する。切断された根菜類の根部は下方に落下し、茎葉部は排葉ベルト３２，３２で機体後方に搬送されて機体後部側から排出される。左右挟持搬送ベルト９Ｌ，９Ｒの前側には、該ベルト９Ｌ，９Ｒによる茎葉部の挟持が適確に行われるように前後方向と左右方向に突出するラグを周回させて茎葉部を引起す縦引起し装置３４と横引起し装置３５とを設けている。
【００５８】
収穫部４により機体上に搬送された根菜類は、搬送部６によって収穫部４が配置されている側とは左右反対側に向って（機体左側から右側に向って）搬送され、収容部５に置かれた容器であるコンテナＣ内に収容される。
【００５９】
搬送部６は、切断装置３１の下方に位置し、機体の左右内側方向に根菜類を搬送する第一コンベア３６と、該第一コンベア３６の前側に並行するように位置して第一コンベア３６の移送方向と同方向に根菜類を移送する第二コンベア３７と、該第二コンベア３７の搬送終端部から機体後方に向けて延びて同方向に根菜類を移送する第三コンベア３８とを備えた構成としている。
【００６０】
収穫部４によって搬送され、切断装置３１によって茎葉部が切断されて落下した根菜類は、第一コンベア３６上に受けられた後、機体の左右内側方向に移送され、第二コンベア３７上に排出され、更に、第二コンベア３７によって同方向（機体右側方向）に移送され、次いで、第三コンベア３８によって機体後方に向けて移送されて、第三コンベア３８の移送終端部後方に配置した収容部５に載置したコンテナＣ内に排出される。
【００６１】
なお、第一コンベア３６を平坦な面を有するベルトコンベアで構成し、その移送下手側のベルト上面に下側がベルト回転方向と同方向に向って駆動回転する残葉処理ローラ３９を、該ローラ３９の移送方向に対して機体平面視で傾斜姿勢で配置されている。本実施例では残葉処理ローラ３９の移送方向下手側の端部が第二コンベア３７に近い側に配置している。従って、第一コンベア３６によって根菜類が移送されて残葉処理ローラ３９に当ると、第一コンベア３６の前側に配置した第二コンベア３７上に排出されるようになるが、切断装置３１によって切断された後に根菜類の根部側に残っている茎葉部の基部から伸びている葉（残葉）は、第一コンベア３６のベルト上面と残葉処理ローラ３９との間に引き込まれて取り除かれることになる。
【００６２】
ところで、従来から搬送ベルトで小石などの異物の塊が搬送され、残葉除去ローラ３９と第一コンベア３６のベルト面との間に搬送された異物が噛み込まれ、該ベルトが過負荷で停止することがあった。
【００６３】
上記不具合を防止するため、本実施例では図８〜図１０に示す各種構成のいずれかを採用する。
まず、図８に示す実施例においては残葉処理ローラ３９の下方には、第一コンベア３６の搬送ベルト３６ａの上面側を下方から支持するように配置して、その上下位置を固定して取り付けた支持板３６ｂを設けている。図８（ａ）は残葉処理ローラ配置部分の斜視図、図８（ｂ）は支持板３６ｂの平面図、図８（ｃ）は残葉処理ローラ配置部分の縦断面図（図８（a）のＳ−Ｓ線断面図）である。
【００６４】
支持板３６ｂで支持された前記搬送ベルト３６ａの上面と残葉処理ローラ３９との上下間に作物に残った葉が引き込まれて、残葉が引きちぎられるが、支持板３６ｂの前記搬送ベルト３６ａによる作物搬送方向下手側部分が残葉除去ローラ３９との下方に一部重なる状態になるようにし、さらに残葉除去ローラ３９の下方箇所に搬送ベルト３６ａが下方に撓むことを許容する逃げ部を支持板３６ｂに形成している。
【００６５】
そのため、残葉を残葉除去ローラ３９と搬送ベルト３６ａの間に挟み込んで引きちぎることができながら、小石などが残葉除去ローラ３９の下方に送られてきても、搬送ベルトが下方に撓むので、残葉除去ローラ３９や搬送ベルト３６ａに傷をつけたり、過負荷で停止させることを防止することができる。
【００６６】
図８に示す構成を詳述すると、支持板３６ｂの逃げ部となる空間部３６ｂ1を設けた。該空間部３６ｂ1は下向きに折曲片３６ｂ2を備えており、残葉除去ローラ３９の下方の一部が空間部３６ｂ1の前方の支持板３６ｂと上下方向に重なるような配置関係（長さＬ１）し、さらに空間部３６ｂ1の後方の支持板３６ｂとは上下方向に重ならないような配置関係（長さＬ２）にし、さらに空間部３６ｂ1の後方の支持板３６ｂとは上下方向に重ならないような配置関係にしておく。こうして、小石などが残葉除去ローラ３９の下方に送られてきても、空間部３６ｂ1の折曲片３６ｂ2に誘導される逃げ部があるので、残葉除去ローラ３９及び搬送ベルト３６ａを傷付けることなく小石が残葉除去ローラ３９の下方に沈み込み、同時に残葉を残葉除去ローラ３９と搬送ベルト３６ａの間に挟み込んで、引きちぎることができる。また、残葉除去ローラ３９の搬送下手側の下方と残葉除去ローラ３９より搬送下手側の支持板３６ｂとは重ならないよう構成することで、残葉除去ローラ３９の下方に入り込んだ小石を搬送下手側に排出しやすくすることができる。
【００６７】
図９に示す実施例においては、図８に示す構成と同じく残葉処理ローラ３９の下方には、前記搬送ベルト３６ａの上面側を下方から支持するように配置して、その上下位置を固定して取り付けた支持板３６ｂを設けている。図９（ａ）は残葉処理ローラ配置部分の斜視図、図９（ｂ）は支持板３６ｂの平面図、図９（ｃ）は残葉処理ローラ配置部分の縦断面図である。図９に示す構成で図８に示すそれと異なるのは、支持板３６ｂの空間部３６ｂ1にスプリングなどの弾性体３６ｄで支えられた板３６ｃを載せた構成を採用することである。図９に示す構成により前記板３６ｃの上に小石などが搬送されてくると弾性体３６ｄが収縮して逃げ部が形成されるので、残葉除去ローラ３９や搬送ベルト３６ａが小石などで損傷されない。
【００６８】
図１０に示す実施例においては、図８に示す構成と同じく残葉処理ローラ３９の下方には、前記搬送ベルト３６ａの上面側を下方から支持するように配置して、その上下位置を固定して取り付けた支持板３６ｂを設けている。図１０（ａ）は残葉処理ローラ配置部分の斜視図、図１０（ｂ）は支持板の平面図、図１０（ｃ）は残葉処理ローラ配置部分の縦断面図である。図１０に示す構成で図８に示すそれと異なるのは、図８に示す支持板３６ｂの空間部３６ｂ1に相当する箇所は図１０（ｂ）に示すように端部の下向きの折曲片３６ｂ2を備えた切欠部３６ｂ3とする。従って、支持板３６ｂ上に小石などが搬送されてくると、切欠部３６ｂ3の折曲片３６ｂ2に誘導される逃げ部があるので、残葉除去ローラ３９及び搬送ベルト３６ａを傷付けることなく小石が残葉除去ローラ３９の下方に沈み込み、同時に残葉を残葉除去ローラ３９と搬送ベルト３６ａの間に挟み込んで、引きちぎることができる。
【００６９】
図１１に第三コンベア３８の要部側面図（ｂ）及び平面図（ａ）を示すが、第三コンベア３８は駆動ローラ３８ａと従動ローラ３８ｂとの間に張られ、テンションローラ３８ｃを根菜類選別側でなく、その裏側のベルト３８ｄに張力を掛けるように配置する。従ってベルト３８ｄの緩み側が根菜類の選別面側となるので、根菜類が第二コンベア３７から送られてくるときにベルト面に落下する際の衝撃を吸収し、根菜類が割れるのを防止することができる。また根菜類が第三コンベア３８上に搬送されてきたとき割れない。
【００７０】
また、搬送ベルト３８ｄの排出口には排出シュータ３８ｅを配置し、該シュータ３８ｅをくし形状とし、土や残葉が前記くし状のシュータ３８ｅの間隙から落下できるようにすることで、土や残葉の排出性を良好にした。なお、前記テンションローラ３８ｃを第三コンベア３８の排出側の近傍に配置しているので、第三コンベア３８の排出側のベルト位置と排出シュータ３８ｅの位置関係が安定した状態に保たれるようにベルト３８ｄを張ることができる。
【００７１】
なお、第三コンベア３８の駆動ローラ３８ａには、図１２に示すように、駆動モータ３８ｆが直接取り付け可能なシャフト３８ｇを有している。また、駆動ローラ３８ａのシャフト３８ｇに並目ローレット３８ｈを取付け、該ロートレック３８ｈにモータ３８ｆの回転軸部を打ち込む方式として、簡易にモータ３８ｆと駆動ローラ３８ａを一体化できる。
【００７２】
また、収容部５のコンテナＣ内に収穫された根菜類が多く積み込まれると、コンテナＣの重みで図１の点線位置に収容部５が回動する。
さらに、収容部５のコンテナ交換作業と第三コンベア３８で搬送される根菜類から不良品を取り除く選別作業を行う作業者が機体上に搭乗するための搭乗部４０を野菜収容部１７の近傍に設けている。搭乗部４０には、作業者が機体上に容易に搭乗し、作業が行えるようステップ４１とシート４２を設けている。更に、搭乗部４０の左右方向機体外側部に機体前部から機体後部にわたってコンテナＣを前後一列に複数載置できる収穫物載置部７を設けていて、この積載部７上に収穫物で満杯のコンテナＣを載置しながら収穫作業を進めることで能率よく作業が行えるものとなる。この収穫物載置部７は、機体内側に回動可能に取り付けて折畳み可能な構造等にすることで機体内側に収納可能に設けている。
【図面の簡単な説明】
【００７３】
【図１】本発明の実施例の野菜収穫機の左側面図。
【図２】図１の野菜収穫機の平面図。
【図３】図１の走行装置２の左側面図。
【図４】図１の走行装置２の右側面図。
【図５】図１の野菜収穫機の挟持搬送ベルトの平面図。
【図６】図１の野菜収穫機の他の実施例の挟持搬送ベルトの平面図。
【図７】図１の野菜収穫機の根毛除去装置の側面図（図７（ａ））、図７（ａ）のＳ−Ｓ線断面図（図７（ｂ））。
【図８】図１の野菜収穫機の残葉処理ローラ配置部分の斜視図（図８（ａ））、支持板の平面図（図８（ｂ））、残葉処理ローラ配置部分の縦断面図（図８（ｃ））。
【図９】図１の野菜収穫機の残葉処理ローラ配置部分の斜視図（図９（ａ））、支持板の平面図（図９（ｂ））、残葉処理ローラ配置部分の縦断面図（図９（ｃ））。
【図１０】図１の野菜収穫機の残葉処理ローラ配置部分の斜視図（図１０（ａ））、支持板の平面図（図１０（ｂ））、残葉処理ローラ配置部分の縦断面図（図１０（ｃ））。
【図１１】図１の野菜収穫機の第三コンベアの要部平面図（図１１（ａ））及び側面図（図１１（ｂ））。
【図１２】図１１の第三コンベアの駆動ローラ部分の平面図。
【符号の説明】
【００７４】
４        収穫部
６        搬送部
７        収穫物載置部
１０      根毛除去装置
３８ｅ    排出シュータ
４３      支持体
４４      回転体
４７      案内体
【図１】
2008000142.tif 000003
【図２】
2008000142.tif 000004
【図３】
2008000142.tif 000005
【図４】
2008000142.tif 000006
【図５】
2008000142.tif 000007
【図６】
2008000142.tif 000008
【図７】
2008000142.tif 000009
【図８】
2008000142.tif 000010
【図９】
2008000142.tif 000011
【図１０】
2008000142.tif 000012
【図１１】
2008000142.tif 000013
【図１２】
2008000142.tif 000014